Podtech/llm-jp-corpus-v4-ja_patent huggingface dataset:
(57)【要約】      （修正有）【課題】眼球認証やＤＮＡチップとＩＣチップを組み合わせた強度のセキュリティー機能を持つカードを提供する。【解決手段】チップカードに設けられた顔写真をもとに眼球認証を行う。さらに体毛に赤外線センサーを当てることによりＤＮＡを検出し、チップカードに設けられたＤＮＡチップから得られる遺伝子情報を利用して認証を行う。これらの手法とチップカード上のＩＣチップとを強み合わせることにより強度のセキュリティー機能を実現し、本人自身の全ての免許証や身分証明書にも使用できるようにし、又新しい通貨としても活用できるようにする。【選択図】図１
2008305362.tif 000002
【特許請求の範囲】
【請求項１】
顔写真から眼球認証をし、ＤＮＡチップで遺伝子情報をとり、強度のセキュリティーシステムを作る。
【請求項２】
ＩＣチップを使用する事により、多種多様に活用出来る様にする。
【請求項３】
ＤＮＡチップの認証は、体毛に赤外線センサーを当てる。
【発明の詳細な説明】
【技術分野】
【０００１】本発明は、眼球認証とＤＮＡ認証により、強度のセキュリティーシステムを作り、ＩＣチップを組み合わせる事によって、本人自身の全ての免許証や、身分証明書にも出来る様にし、又新しい通貨としても活用出来る様にする。
【背景技術】
【０００２】今現在、顔写真から眼球認証をし、ＤＮＡチップと合わせた強度のセキュリティーシステムが無く、これらと、ＩＣチップを組み合わせたカードが無い。
【考案が解決しようとする課題】
【０００３】このカードを使用する事により、強度のセキュリティーの為、あらゆる分野で活用出来る。
【図面の簡単な説明】
【０００４】
【図１】  平面図
【符号の説明】
【０００５】  １    顔写真
２    ＤＮＡチップ
３    ＩＣチップ
【図１】
2008305362.tif 000003
(57)【要約】【課題】  汎用性且つ拡張性のある機構構造を持ち、シングルチップマイクロコンピュータの特徴を最大限に活かすことが可能な超小型ボードコンピュータを実現する。【解決手段】  汎用性を有する機構構造において、２００ＰＩＮ  ＤＤＲ  Ｓ．Ｏ．ＤＩＭＭおよび２０４ＰＩＮ  ＤＤＲ３  Ｓ．Ｏ．ＤＩＭＭにおける形状および寸法を共有化する。これにより、各種Ｓ．Ｏ．ＤＩＭＭソケットが使用できる形状を確定。また拡張性を有する機構構造において、バックプレーン６上にソケット２を複数配置し、超小型ボードコンピュータの端子間４を接続することによって行われるとした。これらを基本構造とし、超小型ボードコンピュータ１内に配置されたシングルチップマイクロコンピュータの端子３を超小型ボードコンピュータ端子４へ接続することにより課題を果たす。【選択図】図１
2008305361.tif 000002
【特許請求の範囲】
【請求項１】
２．５Ｖ  ２００ＰＩＮ  ＤＤＲ  Ｓ．Ｏ．ＤＩＭＭおよび１．８Ｖ２００ＰＩＮ  ＤＤＲ  Ｓ．Ｏ．ＤＩＭＭならびに２０４ＰＩＮ  ＤＤＲ３  Ｓ．Ｏ．ＤＩＭＭの各ソケットにおいて、それらを区別することなく挿入する事ができるプリント基板形状を成し、中央演算処理装置もしくは入出力装置を備えた超小型ボードコンピュータ。
【発明の詳細な説明】
【技術分野】
【０００１】      本発明は、超小型ボードコンピュータに関する。
【背景技術】
【０００２】  従来のボードコンピュータは、汎用的な利用を得意とするが小型電子機器に組み込まれることを想定しておらず、形状が大きく小型化に適さない問題がある。【０００３】  また、小型電子機器に組み込むに当たり小型化再設計を行うため、電子部品の変更を強いられ必ずしもソフトウェア資産、ハードウェア資産を活かすことが出来ない問題がある。
【発明の開示】
【発明が解決しようとする課題】
【０００４】  以上に述べた問題を解決するため、シングルチップマイクロコンピュータの特徴を最大限に活用した、汎用的利用が可能な超小型ボードコンピュータを実現する。
【課題を解決するための手段】
【０００５】  図２において、２００ＰＩＮ  ＤＤＲ  Ｓ．Ｏ．ＤＩＭＭおよび２０４ＰＩＮ  ＤＤＲ３  Ｓ．Ｏ．ＤＩＭＭに共通なプリント基板形状１を定める。これにより、２．５Ｖ  ２００ＰＩＮ  ＤＤＲ  Ｓ．Ｏ．ＤＩＭＭソケット２ａおよび１．８Ｖ  ２００ＰＩＮ  ＤＤＲ  Ｓ．Ｏ．ＤＩＭＭソケット２ｂならびに２０４ＰＩＮ  ＤＤＲ３  Ｓ．Ｏ．ＤＩＭＭソケット２ｃを区別なく使用することが可能になった。【０００６】  上記より、超小型ボードコンピュータ１の端子４を１９０端子とし、これらの端子に直流電源および制御信号を配列する。【０００７】  制御信号においては、シングルチップマイクロコンピュータの全ての制御端子もしくは外部接続すべき全ての制御端子を超小型ボードコンピュータ１の端子４へ接続する。【０００８】  また、超小型ボードコンピュータ１の端子４に余るシングルチップマイクロコンピュータ端子３は、内部接続信号とする。例えば、メモリインタフェースおよび液晶駆動信号など用途が特定されている制御信号が該当する。
【発明の効果】
【０００９】  シングルチップマイクロコンピュータの評価ボードとして利用可能で且つ小型形状ならびに接続形態が定められているため、製品へ組込みやすい。従って試作工程から量産工程まで統一されたハードウェア・プラットフォームの効果がある。【００１０】  ワンボードコンピュータにおける取替え可能なＣＰＵモジュールとしての利用が可能で且つメモリーモジュール形状であるため人為的取扱い性に優れており、保守工数削減効果を発揮する。【００１１】  バックプレーン上に並列配置することで、超小型で軽量な制御コントローラの実現に効果的である。
シングルチップマイクロコンピュータに搭載される直列通信機能を用い、各ボード間での小規模な分散処理が可能である。従って、ソフトウェアを小型化し、システム不具合検証を容易にする。【００１２】  電子機器の小型化を促進することが出来るため物資削減に繋がり、自然環境性能に優れている。
【発明を実施するための最良の形態】
【００１３】  図１のように、それぞれ中央演算処理装置を持つ超小型ボードコンピュータ１ならびに入出力装置を持つ超小型ボードコンピュータ１をバックプレーン６上に並列に配置し、制御システムを構築する。他、電源装置およびプラスティック樹脂を用いたケースを付すことにより制御コントローラを成す。この時、外部接続は超小型ボードコンピュータ内コネクタ７が要件を満たす。
【実施例】
【００１４】  制御コントローラおよびシーケンサ
【産業上の利用可能性】
【００１５】  上述したように、小型で統一された形状を持つハードウェア・プラットフォームを提供することが出来る。
【図面の簡単な説明】
【００１６】
【図１】本発明の実施形態を示す物理的システム構成立体図
【図２】本発明のスロット互換性を示す立体図
【符号の説明】
【００１７】１    超小型ボードコンピュータ本体
３    シングプチップマイコン端子
４    超小型ボードコンピュータ接続端子
６    バックプレーン
２ａ  ２．５Ｖ  ２００ＰＩＮ  ＤＤＲ  Ｓ．Ｏ．ＤＩＭＭソケット
２ｂ  １．８Ｖ  ２００ＰＩＮ  ＤＤＲ  Ｓ．Ｏ．ＤＩＭＭソケット
２ｃ  ２０４ＰＩＮ  ＤＤＲ３  Ｓ．Ｏ．ＤＩＭＭソケット
【図１】
2008305361.tif 000003
【図２】
2008305361.tif 000004
(57)【要約】【課題】本発明は、簡単な構造でキャビネットをより確実に密閉できる構造を提供することを目的としている。【解決手段】本発明に係るキャビネットの密閉構造は、パネルは本体にねじ止めするため、柱部端辺はねじ穴を設けたねじ止め部を折曲形成し、本体とパネルとの接合部、本体と扉体との接合部にはパッキンを貼付するのは、ねじ穴を避けた位置とし、ねじ止め部を延設しパッキンとねじ止め部によりキャビネットが密閉されることを特徴とする。【選択図】図２
2008264340.tif 000002
【特許請求の範囲】
【請求項１】
柱部に天板と底板を取り付け本体を形成し、該本体にはパネルまたは開閉可能である扉体を取り付けて構成される各種通信機器を収納するキャビネットの密閉構造であって、前記パネルは前記本体にねじ止めするため、前記柱部端辺はねじ穴を設けたねじ止め部を折曲形成し、前記本体とパネルとの接合部、前記本体と扉体との接合部にはパッキンを貼付するのは、前記ねじ穴を避けた位置とし、前記ねじ止め部を延設し前記パッキンと前記ねじ止め部により前記キャビネットが密閉されることを特徴とするキャビネットの密閉構造。
【発明の詳細な説明】
【技術分野】
【０００１】
本発明は、柱部に天板と底板を取り付け本体を形成し、本体にはパネルまたは開閉可能である扉体を取り付けて構成される各種通信機器を収納するキャビネットの密閉構造に関するものである。
【背景技術】
【０００２】
キャビネット３１を密閉するために、本体３２とパネル３３、本体３２と扉体（図示せず)との接合部にパッキン３４を貼付する。パネル３３の取り付けはねじ止めで行われ、パネル３３や本体３２にはねじ穴３５が設けられている。パッキン３４は密閉のため用いるので、本体３２とパネル３３、本体３２と扉体が接合する部分に貼付したいが、ねじ穴３５の上が適当な場所であることがある。ねじ穴３５の周辺に施される、ねじ頭３６が突出しないようにへこませるエンボス加工が障害となり、パッキン３４はねじ穴３５付近は切断したり、穴加工を施したりしていた。
【非特許文献１】カワムララックカタログＮＯ．１０  ２００６年６月１日発行
【発明の開示】
【発明が解決しようとする課題】
【０００３】
しかしながら、上記のように、ねじ部分を避けるため、パッキンを切断したり、穴加工したりすると、特にねじ穴周辺のエンボス加工部付近で隙間が生じ、密閉性能が落ちてしまうという欠点があった。また、切断や穴加工の作業に手間がかかっていた。パッキンが複数箇所で切断することで部品点数が増え貼付する作業にも手間がかかっていた。また、切断したパッキンを貼付する場合、貼付位置の決定が困難であり、美観も損ねてしまっていた。
【課題を解決するための手段】
【０００４】
そこで本発明は、簡単な構造でキャビネットをより確実に密閉できる構造を提供することを目的とし、その構造は、パネルは本体にねじ止めするため、柱部端辺はねじ穴を設けたねじ止め部を折曲形成し、本体とパネルとの接合部、本体と扉体との接合部にはパッキンを貼付するのは、ねじ穴を避けた位置とし、ねじ止め部を延設しパッキンとねじ止め部によりキャビネットが密閉されることを特徴とする。
【発明の効果】
【０００５】
本発明に係るキャビネットの密閉構造は、パネルは本体にねじ止めするため、柱部端辺はねじ穴を設けたねじ止め部を折曲形成し、本体とパネルとの接合部、本体と扉体との接合部にはパッキンを貼付するのは、ねじ穴を避けた位置とし、ねじ止め部を延設しパッキンとねじ止め部によりキャビネットが密閉されるため、パネルの全辺にパッキンを貼付でき、密閉性を高めることができる。パッキンの切断や穴加工が不要となり、その作業の手間を省くことができる。部品点数を抑えることができ、パッキン貼付の作業性を向上させることができる。パッキン貼付の際、位置決めが容易であり、見栄えも損なうことがない。
【発明を実施するための最良の形態】
【０００６】
本発明に係るキャビネットの密閉構造の実施例を図１〜図３の添付図面に基づいて説明する。
【０００７】
各種通信機器等を収納するためのキャビネット１は柱部２に底板３と天板４とを取り付けて本体５を構成し、本体５の側面はパネル６をねじ止めするか、または扉体（図示せず）を開閉可能に取り付けて箱体を成す。本体５の柱部２端辺にはパネル６や扉体を取り付けるためのねじ止め部７を折曲形成している。
【０００８】
ねじ止め部７には固定ねじ８を挿通するためのねじ穴９を設ける。また、パネル６にはねじ穴に対向する位置に固定穴１０を設けると共に、固定穴１０周辺は、キャビネット１表面からくぼませるようにエンボス加工を施し、固定ねじ８をねじ穴９と固定穴１０に挿通した状態で、固定ねじ８のねじ頭８ａが突出しないようにすることがある。
【０００９】
通常、本体５にパネル６や扉体を取り付けた状態で使用するが、キャビネット１内部に収納された機器からの音が外部に漏れないようにしたい場合、また、キャビネット１外部から内部へ塵埃等の侵入を防止したい場合には、パッキン１１を用いてキャビネット１を密閉構造とすることもできる。パッキン１１は、本体５とパネル６との間、本体５と扉体との間にできる隙間を埋めるように、図３に示すようにパネル６または扉体の内面周縁部に貼付される。
【００１０】
本体５の柱部２に形成されたねじ止め部７はねじ穴９を設けた部分から内側へ向かって延設部１２を設ける。パッキン１１はパネル６または扉体の、固定穴１０を避けた位置に切断したり穴加工をしたりすることなく貼付され、本体５のねじ止め部７がパッキン１１に当接し、パネル６または扉体と、本体５との間の隙間を確実に塞ぐことができる。
【００１１】
パネル６の内側の面には、固定穴１０を避けた位置にパッキン１１を貼付し、パネル６の固定穴１０と本体のねじ穴９とを対向させ、固定ねじ８を挿通し締め付け固定する。パッキン１１は本体５の柱部２に設けられた延設部１２に当接され、本体５とパネル６との間にできる隙間を塞ぎ、キャビネット１の防音性能を高め、また防塵性能も向上させる。
【産業上の利用可能性】
【００１２】
図面ではパネルの取り付けを示しているが、扉体でも同様に、本体との接合部分にパッキンを貼付し、扉体を閉じたときに、パッキンは本体の柱部に設けられた延設部に当接され、本体と扉体との間にできる隙間を塞ぎ、キャビネットの防音性能を高め、また防塵性能も向上する。
【図面の簡単な説明】
【００１３】
【図１】キャビネットの密閉構造を示す説明図である。
【図２】図１におけるＡ部断面図である。
【図３】図１におけるＢ矢視図である。
【図４】従来のキャビネットを示す説明図である。
【図５】従来のキャビネットのパッキンの貼付状態を示す説明図である。
【符号の説明】
【００１４】
１    キャビネット
２    柱部
３    底板
４    天板
５    本体
６    パネル
７    ねじ止め部
８    固定ねじ
８ａ  ねじ頭
９    ねじ穴
１０  固定穴
１１  パッキン
１２  延設部
【図１】
2008264340.tif 000003
【図２】
2008264340.tif 000004
【図３】
2008264340.tif 000005
【図４】
2008264340.tif 000006
【図５】
2008264340.tif 000007
(57)【要約】【課題】発生加工くずの貯留防止と、加工くず除去により加工条件を常に最適な状態を保ち、自動半田付け生産性と半田付け製品の品質低減に寄与させる。【解決手段】ガイドローラ溝底への加工くずの貯留防止にパイプ状排出ガイドと、円形刃に付着する加工くずを取り除くスクレ−パガイド及び、加工くずの集積を排出する集積溜めと排出路を設けた。【選択図】図３
2008264790.tif 000002
【特許請求の範囲】
【請求項１】
円形刃とガイドローラによって糸半田に溝入れ加工を行う時、溝入れ加工直後の糸半田を排出させるためのパイプ状排出ガイドが、該ガイドローラ溝底に加工くずが貯留することを防ぐ機能をもつこと。
【請求項２】
請求項１のパイプ状排出ガイドがガイドローラ溝底に向かって揺動できる機構。
【請求項３】
請求項2の該遥動機構にあってパイプ状排出ガイドのガイドローラ溝底に対する位置を調整すること。
【請求項４】
請求項2の該遥動機構にあってパイプ状排出ガイドがガイドローラ溝底に向かうようにばね等による押し付け力を持つこと。
【請求項５】
円形刃による糸半田溝入れ加工後の排出側の該円形刃の刃先表裏にそって取り付けられた、該刃先に付着する加工くずを取り除くと同時に加工後糸半田の円形刃への巻き付き防止と請求項１のパイプ状排出ガイドへ加工後糸半田を導くためのスクレーパガイド。
【請求項６】
円形刃とガイドローラ、パイプ状排出ガイド及び、請求項５のスクレーパガイドによって発生した加工くずの集積が出来るための該円形刃とガイドローラの周辺に設けられた加工くず集積溜め。
【請求項７】
請求項６の該集積溜めに溜まった加工くずを自重または吹き飛ばし等によって該集積溜めから該円形刃、ガイドローラ周辺の外部に取り出す排出路。
【請求項８】
請求項７の排出路から一定時間ごと自動的にあるいは任意の操作によって、吹き飛ばし等で加工くずを排出すること。
【発明の詳細な説明】
【技術分野】
【０００１】
本発明は、糸半田溝入れ加工供給装置に関する。 
【背景技術】
【０００２】
手付け作業時における糸半田溝入れ加工供給装置では手作業で加工くずを除去するか、簡単なブラシを回転刃に沿って取り付けることで加工くずの清掃を行っている。
【特許文献１】特願平１１−３３２３１０号公報
【特許文献２】特願２００６−３１４３３５１号公報
【特許文献３】特願２００６−３５７７１８号公報
【特許文献４】意匠登録第１２７７８８７号公報
【発明の開示】
【発明が解決しようとする課題】
【０００３】
糸半田溝入れ加工供給装置をロボット等と組み合わせて自動半田付けを行う時、手作業をなくすことが要求される、常時、正常な状態を保つことが要求される。加工時に発生した加工くずはガイドローラの溝底に付着して貯留すると、糸半田が押し上げられ、円形刃の切り込み深さが変化してしまい、半田飛散防止効果の低減、最終的には加工不良となる、また円形刃に付着した加工くずは周辺部に撒き散らされ、作業周辺を汚したり、製品に付着して品質低下を招く、機器の保守の工数も増大する。
【課題を解決するための手段】
【０００４】
本発明は、糸半田溝入れ加工後の排出側のパイプ状排出ガイドに、加工くずがガイドローラ溝底に貯留しないための形状を設ける
【０００５】
更に、円形刃の加工くず付着を取り除き、刃先きへの加工後糸半田の巻き付きを防いだり、加工後糸半田をパイプ状排出ガイドへ導くための形状を持たせた刃先スクレーパガイドをとりつける。
【０００６】
発生した加工くずを集積し排出させる。
【発明の効果】
【０００７】
加工くずを取り除き貯留させないことで溝入れ糸半田の半田飛散防止効果が常に正常に保たれ、加工くずを撒き散らさないことで半田付け対象製品の品質低下防止と溝入れ加工供給装置の保守の負担を低減する。
【発明を実施するための最良の形態】
【０００８】
糸半田の溝入れ加工くずの円形刃やガイドローラへの付着除去や貯留防止を溝入れ加工供給しながら行うことを実現した。
【実施例１】
【０００９】
図１は、本発明機構を取り付ける、糸半田に溝入れ加工を施す装置にあって円形刃とガイドローラに挟み送りをされながら溝加工されていることを示す断面図である。
【００１０】
図２は、糸半田が円形刃によって糸半田断面を開腹したことを示す断面図である。
【００１１】
図３、図４は、本発明機構を４のガイドローラの溝底５にほぼ到達できるような形状にして取り付けた６のパイプ状排出ガイドがガイドローラ溝底に貯留する加工くずを除去できることを示し、１０のスクレーパガイドが３の円形刃の刃先に沿って取り付ける刃先に付着する加工くずのスクレーパ機能を持ち、且つ３の円形刃に巻き付く１の糸半田を６のパイプ状排出ガイドに挿入を促すガイド機能も持つ事を示す、上面断面図である。
【００１２】
図３では、７の遥動パイプ状排出ガイドホルダと、8の遥動角度調整用可変ストッパと、７の遥動ホルダ推し付け用、９のばねで６のパイプ状排出ガイドが５のガイドローラ溝底の最適位置に設定できる事を示す。
【実施例２】
【００１３】
図５は、３の円形刃と４のガイドローラの周辺に囲い状の１１の集積溜めを設け１２の排出路から加工くずが外部に排出できることを示す上面断面図である。
【図面の簡単な説明】
【００１４】
【図１】本発明機構を取り付ける糸半田溝入れ装置を示す説明図である。
【図２】糸半田が溝入れ加工されている状態を表す拡大説明図である。
【図３】実施例１を示す上面断面図である。
【図４】実施例１の側面図及び側面展開図である。
【図５】実施例２示す上面断面図である。
【符号の説明】
【００１５】
１    糸半田
２    フラックス
３    円形刃
４    ガイドローラ
５    ガイドローラ溝底
６    パイプ状排出ガイド
７    遥動ホルダ
８    可変ストッパ
９    ばね
１０  スクレーパガイド
１１  集積溜め
１２  排出路
【図１】
2008264790.tif 000003
【図２】
2008264790.tif 000004
【図３】
2008264790.tif 000005
【図４】
2008264790.tif 000006
【図５】
2008264790.tif 000007
(57)【要約】【課題】従来の小型水車においては概ね水車本体と発電機とが一体型であったが、この様な構造では海水や水の影響から発電機の保守管理に多くの手間が必要であった。本発明は、水車本体がパイプの中にある事から特に影響を受ける事から離れた位置に発電機を設置した。【解決手段】本水車はパイプ内に回転ローターが有る事からローター▲５▼が水圧により上下動する事から発電装置の取付は出来ず、よって発電機▲４▼を別位置に取付ける事で解決した。【選択図】図１
2008264752.tif 000002
【特許請求の範囲】
【請求項１】
本発明は管内水流を利用して水車による回転動力を利用した発電と水車の回転を利用して水中に酸素や薬剤や活性水を均等に分布する事を目的とする。
【請求項２】
本発明は水流中に酸素や活性水や薬剤等を水車中心のドラムに送り流水中に放出し本来の目的とする酸素や活性水や薬剤等を水中に拡散するシステム。
【請求項３】
本発明は水車の回転を利用した発電と水中に微細な気泡を送り、水質を使用する目的に即した状態にする事を目的とし、必要とする電力を水車の回転を利用する事とした。
【請求項４】
本発明は水車中心のドラムと水切羽の先端もしくは羽の両面に開けた非常に小さな孔より圧縮された空気にて押し出された酸素や活性水や薬剤等を気泡として目的の場所に水中又は水面に散布する事を目的とする。
【請求項５】
本発明は導水管の中間に複数の水車を設置する事も可能とし本水車は導水管の内部に収納し、発電部は外部に別置する事とした。
【発明の詳細な説明】
【技術分野】
【０００１】本発明は水流を利用し水車を回転させ水車のドラム内の吸気システムの働きによって別場所に有る活性水や薬剤等の吸気を図り水中に自動的に拡散するシステム。【０００２】本発明は外輪▲２▼が有り内輪▲５▼が有る。▲５▼の中心に固定注水管▲３▼が有り、▲３▼▲５▼▲２▼と注水物が回転力によって放出される。放出された注水物は水中に泡となって拡散される。【０００３】本照明の結果、水車の回転力▲６▼を利用して別場所に設置した発電機▲４▼を回転させ電力を得る事が出来る。回転力のバランスを取る為に▲６▼▲７▼▲８▼▲９▼と４輪プーリーとする。【０００４】本水車は▲５▼に水量及び水流の変化に応じて上下動させて一定の水深を保つ事を目的として浮き（フロート）の性質を持つ事で一定の水深を保つ事とした。【０００５】水車と発電機の一定張力を保つ為にテンションスプリング▲１０▼を設置してベルト等の調整をした。
【発明が解決しようとする課題】
【０００６】現在、世界で行われている魚介類や海草等の養殖に際し水中に酸素や活性水や薬剤を投入した場合、外輪水車やスクリュー等を利用して水を攪拌する必要があったが、本発明により注水時にこれらの問題を解決出来る。同時に本水車▲２▼のエネルギーを利用して▲４▼の発電機を駆動させる事で必要な電力を得る事が出来る。又、本システムを使用して山間部における小河を利用した発電も可能となる。
【本発明の実施例】
【０００７】本発明の水車▲２▼より発生する気泡は内部に多くの酸素や薬剤を含んだ状態で水中に拡散出来た事で水の浄化や魚介類、海草等の養殖に効果が期待出来る。
【図面の簡単な説明】
【０００８】
【図１】は全体図である。
【図２】は水車図である。
【符号の説明】
【０００９】［図１］
システム本体  ▲２▼フロート式水車  ▲３▼注入ホース取付口  ▲４▼発電機  ▲５▼水車内フロート  ▲６▼プーリー  ▲７▼プーリー  ▲８▼プーリー  ▲９▼プーリー  ▲１０▼テンションスプリング  ▲１１▼浮力調整スプリング
［図２］
▲２▼フロート式水車  ▲３▼注入ホース取付口  ▲５▼水車内フロート
【図１】
2008264752.tif 000003
【図２】
2008264752.tif 000004
(57)【要約】      （修正有）【課題】高い効率で遠赤外線とマイナスイオンを発生するトルマリン粉末を、水の濾過機能のある膜状の物質に封じ込めることによって、粉末の拡散を防ぎながら繰り返し利用することを可能にするトルマリン粉末を封じ込めた物品を提供する。【解決手段】水の濾過機能をもつ膜状の物質にトルマリン粉末を封入した物品、またはトルマリン粉末と保水機能をもつ物質との混合物とした物品、さらにはトルマリン粉末を入れた容器と、その開口部を密閉する水の濾過機能をもつ膜状の物質によって構成される器物として用いる。【選択図】図１
2008264754.tif 000002
【特許請求の範囲】
【請求項１】
紙、セロハン、布または合成樹脂を材料とする、水の濾過機能をもつ膜状の物質（１）の作る袋状の密閉空間にトルマリン粉末（２）を内蔵した物品。
【請求項２】
［請求項１］のトルマリン粉末（２）の代わりに、トルマリン粉末と保水機能をもつ物質との混合物（３）を使用した物品。
【請求項３】
トルマリン粉末（２）を入れた容器（４）と、その開口部（５）を密閉する水の濾過機能をもつ膜状の物質（１）によって構成される器物。
【発明の詳細な説明】
【技術分野】
【０００１】本発明は、高い効率で遠赤外線とマイナスイオンを発生するトルマリン粉末を、水の濾過機能のある膜状の物質に封し込めることによって、粉末の拡散を防ぎながら繰り返し利用することを可能にすることに関するものである。
【背景技術】
【０００２】従来は、トルマリン粉末を合成樹脂に混入した材料を使って繊維にしたり、化粧品や石鹸に混ぜて利用していたが、トルマリン粉末の濃度が低くなることで、その効果は十分ではなかった。（文献１，２参照）【０００３】トルマリン粉末を浴槽に入れて利用する場合、粉末の拡散を防止する方法は無く、繰り返し利用するためには、重量比で効果の低いトルマリン鉱石の小石を網に入れて利用していた。（文献１，２参照）【０００４】治療にトルマリンを利用している接骨医は、ゲル状のトルマリンや粉末入り化粧品をツボや患部に塗ったり、絆創膏に粉末を粘着させて貼り付けるという方法で利用していた。（文献２参照）
【非特許文献１】  永井竜造著「新トルマリンが環境革命を起こす」ダイヤモンド社  １９９７年３月２１日発行
【非特許文献２】  原了著「やせた、効いた！  トルマリンの奇跡、マイナスイオンパワーが心と体を癒す」  ＰＨＰ研究所  １９９９年３月１８日発行
【発明の開示】
【発明が解決しようとする課題】
【０００５】トルマリンによる遠赤外線とマイナスイオンの発生効率はトルマリン粒子が小さいほど高い。しかし、トルマリン粉末を拡散させずに、繰り返し利用する効果的な方法は無く、トルマリン粉末の利用分野が小範囲に限定されていた。本発明は小範囲に限定されていた利用分野を拡大するためのものである。
【課題を解決するための手段】
【０００６】紙、セロハン、布または合成樹脂を材料とする、水の濾過機能をもつ膜状物質にトルマリン粉末を封入したり、トルマリン粉末と細断面や吸水性ポリマー粉末との混合物を封入する。
あるいは、トルマリン粉末を容器に入れて、容器の開口部に濾過機能をもつ膜状物質により密閉する。
【発明の効果】
【０００７】外部からエネルギーを受けたトルマリンによる遠赤外線とマイナスイオンの発生量はトルマリン粒子全体の表面積の総和に正比例する。たとえば、直径の平均値がそれぞれ４０ミクロンの粒子と１ミリの粒子の同じ重量での表面積の総和を比較した場合、総面積の総和比はそれぞれの粒子の直径の平均値に反比例するので、直径４０ミクロン群のトルマリン粉末は直径１ミリ群のトルマリン小石の総表面積の２５倍の総表面積をもつ、すなわち、直径４０ミクロンの粉末は直径１ミリの小石の２５倍の効果を期待できる。
このような高い効率のあるトルマリン粉末を、本発明によって拡散させることなく、繰り返し利用することができる。
【発明を実施するための最良の形態】
【実施例１】
【０００８】［請求項１］の物品は利用する目的や場所に応じて、最適な大きさの物品にし、場合によっては、この物品を籠状の保護ケースに入れる。
【実施例２】
【０００９】［請求項２］の物品の外形を直径２０〜３０ミリ程度の円形にし、保水機能をもつ物質として細断綿と吸水性ポリマー粉末を使う。
【実施例３】
【００１０】［請求項３］の器物を水槽の底に一面に敷く。また容器が大型の場合はトルマリン粉末が一方に片寄るのを防止するために、容器の中に仕切りを設ける。
【産業上の利用可能性】
【００１１】［実施例１］の物品と水道水をペットボトルにいれたものを太陽光に当て、マイナスイオンを発生させると水道水の消毒臭が消え、口腔内の殺菌をする飲料水ができる。またこのマイナスイオンを含んだ水は生食野菜の殺菌、流しの消毒など人に無害な消毒水として利用できる。【００１２】［実施例１］の物品を酒類のビンに入れておくと、マイナスイオンの効果により、数日で酒はまろやかな味に変化する。【００１３】［実施例１］の物品を浴槽に入れて利用する場合は、物品を籠状の保護ケースに入れることによって、身体の接触による破損を防止しながら繰り返し利用することができる。【００１４】［実施例２］の物品を絆創膏によって、腰痛や筋肉痛の箇所あるいはツボに貼り付けると物品から発生する遠赤外線の効果によって症状が回復し、さらにこの物品に水分を含ませるとマイナスイオンを発生させて身体に放出する。これらの効果によって、この物品は鍼や灸に次ぐ第三の治療用具として利用できる。【００１５】［実施例３］はマイナスイオンを含んだ水を大量に作って、農薬の代わりに使うことができる。足の皮膚内に生息して水虫の原因となっている白癬菌を殺す（水虫の再発は子孫を絶えさせないように戦略的に時期をずらせて発芽する白癬菌胞子の新たな発芽によるものである）ほどの殺菌力のあるマイナスイオンを含んだ水は人畜無害の殺菌水として農業に利用できる。【００１６】葉面散布をするとき、水の表面張力を下げて葉面を濡らしやすくするために、家庭用洗剤をマイナスイオン水にわずかに混ぜると殺虫効果も現れ、ハダニ、あぶらむし、かいがらむしなど小型の害虫も駆除することができ、有毒な殺虫剤の使用を最小限にとどめる可能性がある。
【図面の簡単な説明】
【００１７】
【図１】は〔請求項１〕の実施例を示す断面図である。
【図２】は〔請求項２〕の実施例を示す平面図である。
【図３】は〔請求項２〕の実施例を示す断面図である。
【図４】は〔請求項３〕の実施例を示す断面図である。
【符号の説明】
【００１８】１    水の濾過機能をもつ膜状物質
２    トルマリン粉末
３    トルマリン粉末と保水機能をもつ物質との混合物
４    容器
【図１】
2008264754.tif 000003
【図２】
2008264754.tif 000004
【図３】
2008264754.tif 000005
【図４】
2008264754.tif 000006
(57)【要約】【課題】豆腐製造業者は豆腐製造の際に生じる副産物のおからの処理に苦慮しており、温泉水を用いておからを溶解してこれらの問題を解決せんとするものである。【解決手段】おからは、豆腐を製造するときの豆乳の絞り粕であり、前述のおからと島原温泉の温泉水（長崎県島原市）とを、重量比で、５〜１：１００の割合で均一に混合し、前述のおからを圧力鍋で１ｋｐａ以上に保持して、３０分〜１２０分間加圧加熱する。処理終了後のおからの溶解率は、全体の約７０％が溶解せしめ、溶解した液状化処理した液体は液肥として活用可能にしたおから溶解処理方法である。【選択図】なし【特許請求の範囲】
【請求項１】
おからと温泉水とを、重量比で、１：５〜１：１００の割合で均一に混合後、加圧・加熱することを特徴とするおから溶解処理方法。
【請求項２】
おからと温泉水とを好ましくは、重量比で、１：２０〜１：５０の割合で均一に混合後、加圧・加熱することを特徴とする請求項１に掲載のおから溶解処理方法。
【請求項３】
おからと温泉水とを最も好ましくは、重量比で、１：３５〜１：４５の割合で均一に混合後、加圧・加熱することを特徴とする請求項１に掲載のおから溶解処理方法。
【請求項４】
加圧にて３０分〜１２０分加熱することを特徴とする請求項１〜３に記載のおから溶解処理方法。
【請求項５】
加圧圧力１ｋｐａ以上に保持したことを特徴とする請求項１〜４に記載のおから溶解処理方法。
【発明の詳細な説明】
【技術分野】
【０００１】
本発明は、豆腐の製造にて発生する副産物のおからを温泉水を利用して溶解処理する    方法である。
【背景技術】
【０００２】
おから（別名、うの花、きらず）は、豆腐を製造するときの豆乳の絞り粕であり、原料大豆１ｋｇから１．２ｋｇ〜１．５ｋｇ（水分８０〜８５％）のおからが産生し、年間７５万トン（２００６年の推定）もの大量のおからが副生している。従来、おからは、ごく一部が食品素材や肥料として利用されているが、大部分は家畜の飼料として用いられている。しかし、おからは水分が多く、飼料効率が低いので、畜産業者から敬遠される傾向にある。また、近年、公害などの面から畜産業者が遠隔地に移転し、運搬経費が増大し、加えて海外から安価な飼料が大量に輸入されており、コスト的に飼料としてのおからの利用には限界がある。更に、おからは、放置すると微生物が繁殖して短時間に腐敗が起こり、強い悪臭を発する欠点があり、直ちに処理しなければならないという問題がある。このように、豆腐製造業者にとって、おからの処理は大きな問題であり、処理業者にお金を払って処理（飼料としての利用、焼却など）を依頼しているのが現状である。
【０００３】
【特許文献１】特開２００７−１３５４１９号公報
【発明の開示】
【発明が解決しようとする課題】
【０００４】
上述のように、豆腐製造業者はおからの処理に苦慮しているが、食品素材としてみると、おからには、乾物換算で、蛋白質：２４．５％、脂肪：１３．０％、粗繊維：１８．４％、無機栄養素（カルシウム、りんなど）：３．５％が含まれており、良質な食品素材である。特に、植物繊維を含有することから、食物繊維源としても注目されている。しかしながら、おからを食品素材として利用する場合、おからには多くの欠点があり、例えば、食感が悪い、調理法が限定される（例えば、吸油性が大きいので、油料理に用いると油を吸収してしまう；調理中にばらけてしまい、まとまりが悪いなど）、粘着性・結着性に欠けるので、他の食品素材と混合して加工食品を製造するときに混和性が悪く、まとまりに欠けるなどの問題がある。このような問題から、従来は、極めて少量のおからが食品素材として利用されたにすぎない。本発明は上記の問題を解決するためになされたもので、温泉水を用いておからを溶解してこれらの問題を解決せんとするものである。
【課題を解決するための手段】
【０００５】
本発明者等は、上記の課題を解決するために、おからの処理法を検討した結果、おからを、温泉水で処理することにより、おからを約７０％溶解させることに注目し、試行錯誤の結果、本発明は完成したものである。
【０００６】
本発明は、おからと温泉水とを、重量比で、１：５〜１：１００の範囲で均一に混合後、加圧・加熱処理することによりおからを溶解処理する方法で、おからと温泉水との混合割合は、好ましくは、重量比で、１：２０〜１：５０の割合で、最も好ましくは、重量比で、１：３５〜１：４５の割合で均一に混合後、加圧・加熱処理することにより、全体の約７０％が溶解して液状化処理することが可能となった。さらに、加熱時間は３０分〜１２０分で効果的に溶解できた。また、加圧圧力を１ｋｐａ以上に保持することにより液状化処理できた。
【発明の効果】
【０００７】
本発明によれば、おからを約７０％溶解処理できれば、豆腐の絞り粕であるおからが年間７５万トン副生するので、２２万トンまで減少するため、処理業者に支払う処理費を大幅に削減できるうえに、溶解して液状化処理した液体は液肥として活用でき、省エネ・省資源にも有効かつ地球環境に大変優しいおから溶解処理方法である。
【発明を実施するための最良の形態】
【０００８】
温泉水との割合
本発明において、「おから」は、大豆を粉砕し、絞って豆乳を分離した後の不溶性成分と絞りきれなかった豆乳成分とからなる。「おから処理」のためのおからと、島原温泉の温泉水との割合は、１：１００までの範囲である。
均一混合割合の限定理由
１：５以下での不具合の理由は、おからを浸せきした場合、おからが全て浸らないので、上手く処理ができなかった。
１：１００以上の不具合の理由は、温泉水による効果が認められなかった。
【実施例】
【０００９】
次に実施例により本発明を更に具体的に説明する。表中の×、△、○印は、溶解度合を示している。  以下、実施例に基づいて本発明をより詳細に説明するが、本発明はこれらの例に限定されるものではない。
【００１０】
表１は、おからを温泉水に対し、重量比で、１：５〜１：１００を入れ、３０分〜１２０分間、圧力鍋（１ｋｐａ〜１００ｋｐａの範囲）にて加熱した処理後のおからは、約７０％溶解したが、１０分にて加熱処理したおからは、十分な溶解処理に至らなかった様子を示している。  表２は、温泉水に対して、重量比で、１：５以下では、おからを浸せきした場合、おからが全て浸らないので、上手く処理ができない。また、重量比で、１：１００以上に関しては、温泉水の効果が認められなかった様子を示している。
【表１】
2008264759.tif 000002
【表２】
2008264759.tif 000003
【００１１】
従来、豆腐の製造により生ずる「おから」は、全体の約５％が食用に供されているが、残りの９５％の大部分が動物飼料や堆肥として、あるいは廃棄物として廃棄・焼却されているが、本願発明によれば、天然に湧き出ている温泉水により廃棄物として処理されているおからを約７０％も削減でき、経済的にも環境的にも非常に有効な処理法である。
【産業上の利用可能性】
【００１２】
本発明は、豆腐製造の際に生じる副産物のおからの溶解処理方法に関し、溶解して液状化処理した液体は液肥として活用できる。
(57)【要約】【課題】最近では誰もが簡単に使用できるシュレッダーが多いため、子供が電源の入っている状態で紙等の挿入口に手を入れてしまったり、または電源が入っている状態で前扉を開いてカッターに触れてしまったり等、大変危険である。【解決手段】本体装置１上にカバー部２、カッター６を搭載し、装置本体１の前面側には前ドアを開閉可能に設ける。カバー部２は普段閉じており、暗証番号を入力しないと開けることが出来ない様になっている。また前扉には排紙口感知センサー１１を設け、前扉が開いたことを感知し、カッター６の動作が止まるようになっており、怪我をする危険性が極めて小さくなる。【選択図】図２
2008264680.tif 000002
【特許請求の範囲】
【請求項１】
装置本体上にカッターを内蔵するカッター部を配し、上記装置本体内に上記カッター部で細かく裁断した紙屑等を収納する容器（以下ではチップバスケットという）を備えるシュレッダーにおいて、紙等の挿入口に自動開閉するカバーをつけ、且つ上記カバーは容易に開閉しない様にロック機構を備えたことを特徴とするシュレッダー。
【請求項２】
請求項１に記載のシュレッダーにおいて、暗証番号を入力することによりロック機構を解除しないとカバーが開かず、主電源を切ると自動でカバーが閉じることを特徴とするシュレッダー。
【請求項３】
請求項２に記載のシュレッダーにおいて、上記装置本体内にはセンサーを設け、紙等の挿入口に紙等の有無を感知できることを特徴とするシュレッダー。
【請求項４】
請求項３に記載のシュレッダーにおいて、さらにタイマーを設け、紙等の挿入が行われない時間を計測し、タイマーの設定時間が過ぎると自動で上記カバーが閉まることを特徴とするシュレッダー。
【請求項５】
請求項４に記載のシュレッダーにおいて、タイマーの設定時間は自由に調節できることを特徴とするシュレッダー。
【請求項６】
請求項１から５に記載のシュレッダーにおいて、本体にはパネルを備えることを特徴とし、さらに上記パネルには、暗証番号の入力や紙屑等の溜まり具合等を表示することを特徴とするシュレッダー。
【請求項７】
請求項１から６に記載のシュレッダーにおいて、チップバスケットを取り出す際に開ける排紙口には排紙口開閉検出スイッチを設け、排紙口が開くと自動的に電源が切れ、開いている間は電源を入れることができず、排紙口を閉めた時には電源を入れることができることを特徴とするシュレッダー。
【請求項８】
請求項７に記載のシュレッダーにおいて、シュレッダー動作時に排紙口が開くと自動的にカバーが閉まることを特徴としたシュレッダー。
【発明の詳細な説明】
【技術分野】
【０００１】
本発明は、紙等を細かく裁断するためのシュレッダーに関する。
【背景技術】
【０００２】
周知のようにシュレッダーは紙等を細かく、あるいは非常に細かく裁断してしまうものであり、個人、法人を問わずオフィス等で広く使用されている。最近では家庭でも使用されているおり、子供は誤って紙等の挿入口に手を入れてしまい大怪我をすることがある。
【０００３】
また一般的なシュレッダーの構造としては、大型、小型にかかわらず、細かく裁断した紙屑等をチップバスケットに収納し、所定量の紙屑等が溜まったところでシュレッダー内からチップバスケットを取り出して紙屑等を捨てるようになっている。そのため、電源が入っている状態で排紙口を開くと、カッターに触れてしまった時には手を切断する危険がある。
【発明の開示】
【発明が解決しようとする課題】
【０００４】
最近では誰もが容易に使用できるシュレッダーが多いため、子供が電源の入っている状態で紙等の挿入口に手を入れてしまったり、または電源が入っている状態で前扉を開いてカッターに触れてしまったり等、大変危険である。そこで本発明は、紙等の挿入口に手を入れてしまったり、排紙口を開いた際にカッターに触れたりしてしまっても、怪我をすることのない安全性を考慮したシュレッダーを提供することを目的とする。
【課題を解決するための手段】
【０００５】
本発明に係わるシュレッダーは、紙等の挿入口上にカバーをつけ、パネルで暗証番号を入力しないとカバーが開かず、主電源を切ると自動でカバーが閉じることを特徴とする。
【０００６】
本発明に係わるシュレッダーのうち請求項６に係わるものは、パネルで暗証番号の入力やタイマーの設定、紙屑等の溜まり具合の表示ができるようにする。
【０００７】
本発明に係わるシュレッダーのうち請求項７に係わるものは、排紙口にスイッチを設けることで、排紙口の開閉を感知し、排紙口が開くと自動的に電源が切れ、開いている間は電源を入れることができず、排紙口を閉めた時には電源を入れることができることを特徴とする。
【発明の効果】
【０００８】
本発明に係るシュレッダーは、紙等の挿入口へ手を挿入する危険や排紙口を開いた際に手がカッターに触れ切断する危険をなくし、安全なものとなる。
【発明を実施するための最良の形態】
【０００９】
以下本発明を実施するための最良の形態を、図に示す実施例を参照して説明する。
【実施例】
【００１０】
図１は本発明に係わるシュレッダーの一実施例の斜視図、図２は同断面図である。図示のように本実施例のシュレッダーは装置本体１上にカバー部２、カッター６を搭載し、また装置本体１の前面側には前ドアが開閉可能に側縁ヒンジにより支持してある。
【００１１】
通常時、カバー４は閉じられていて、操作パネル９で暗証番号を入力し、事前に登録しておいた番号と一致すると制御装置によりカバー開閉用モーター５が動作し、カバー４が開く。
【００１２】
紙感知センサー１２により紙等挿入口１３に紙の挿入がなくタイマーの設定時間が経過したことが確認されると、制御装置によりカバー開閉用モーター５が動作し、カバー４が閉じる。
【００１３】
排紙口３が開くと排紙口開閉感知センサー１１により、カッターの動きが止まると同時に、カバーが閉じ、電源が切れる。
【００１４】
排紙口３が閉じると排紙口開閉感知センサー１１により、電源が入れられるようになる。
【図面の簡単な説明】
【００１５】
【図１】本発明に係わるシュレッダーの一実施例の斜視図である。
【図２】図１のシュレッダーの断面図である。
【図３】図１のシュレッダーの紙の挿入部においてカバーが閉じている状態を示す斜視図である。
【図４】図１のシュレッダーのカバー装置の斜視図である。
【図５】図１のシュレッダーにおいて排紙口を開いた状態を示す斜視図である。
【図６】図１のシュレッダーのシステムの構成を示す図である。
【符号の説明】
【００１６】
１    本体
２    カバー部
３    排紙口
４    カバー
５    カバー開閉用モーター
６    カッター
７    カッター動作用モーター
８    主電源
９    操作パネル
１０  チップバスケット
１１  排紙口開閉感知センサー
１２  紙感知センサー
１３  紙等挿入口
【図１】
2008264680.tif 000003
【図２】
2008264680.tif 000004
【図３】
2008264680.tif 000005
【図４】
2008264680.tif 000006
【図５】
2008264680.tif 000007
【図６】
2008264680.tif 000008
(57)【要約】      （修正有）【課題】外観や機能から癒し効果があり、シュレッダー本体の大きさに限定されることなく任意の大きさのゴミ箱に備え可能なシュレッダーの提供。【解決手段】シュレッダーの外装を人形や動物形にして視覚による癒しの効果を得るとともに、足に任意数のヒンジを配置した関節を供えて多様な形状のゴミ箱に据え付けできるようにし持ち運びが可能で設置場所の確保が必要ない。また多様形状のゴミ箱に据え付けできることから専用のゴミ箱を廃止できる。【選択図】図１
2008264666.tif 000002
【特許請求の範囲】
【請求項１】
従来のシュレッダーの典型的なボックス型から人形や動物の縫いぐるみタイプのシュレッダーにすることで、インテリアに転用可能な外観を備え、さらに利用者への癒しの効果が得られる機能を有したシュレッダー。
【請求項２】
本発明を縫いぐるみタイプの動物のヤギを例として挙げた場合、必要に応じてヤギの前足や脇にあたる部分の開脚角度を変化させる事により、多様な形状のゴミ箱等に据え付けて使用可能な機能を備えるシュレッダー。
【請求項３】
人形や動物の肛門部分から紙くずが出て、直接ゴミ箱にくずが落下するシュレッダー。
【請求項４】
持ち運びが可能で携帯性に優れた事を特徴とするシュレッダー。
【請求項５】
２つのスイッチを同時に押さないと作動しないシュレッダー。
【請求項６】
音声機能を併せ持ち、シュレッダーの電源オン音、紙くずが詰まった時のエラー音を内蔵し、音声で知らせてくれる機能を持つシュレッダー。
【請求項７】
電源を入れると人形や動物の口の部分が光り、手元をライトアップしてくれるシュレッダー。
【請求項８】
動物の尾の部分を振ることで、肛門から出てきた紙くずを均等に据え付けたゴミ箱へ落下するシュレッダー。
【発明の詳細な説明】
【技術分野】
【０００１】
この発明は、癒し系シュレッダーに関する。
【背景技術】
【０００２】
通常のシュレッダーの形状は、その殆どがゴミ箱と一体になったボックス型のものが主流である。
【０００３】
よって、シュレッダーの外観や機能はどれも同様なものばかりで、シュレッダーの従来の外観や機能からは、癒しの効果が殆どない。
【０００４】
また、ボックスと一体型の為、使用時でも一定のスペースを確保しなければならない。
【０００５】
例えば家庭内でのゴミ袋へのゴミ収集時に従来のシュレッダーの場合、本体から下段のゴミ箱部分を外して回収しなければならないという手間がある。
【０００６】
そして、下段のゴミ箱がいっぱいにならないうちに回収してしまうという手間もある。
【０００７】
また、シュレッダーには大型のものが多く、携帯することが不可能であり、持ち運びも不便である。
【発明の開示】
【発明が解決しようとする課題】
【０００８】
このため、シュレッダーの外観や機能からは、癒しの効果が得られない。また、本体と一体になった汎用性のないシュレッダー専用のゴミ箱が必要となっており、使用者の使用頻度によりゴミ箱の容量に過不足が生じ、不便であった。さらに、シュレッダーを使用しない時は、シュレッダー専用の場所を確保しなければならなかった。
【０００９】
それゆえ、この発明の主たる目的は、外観や機能から癒し効果があり、シュレッダー本体の大きさに限定されることなく任意の大きさのゴミ箱に据え付け可能なシュレッダーを提供することを課題とする。
【課題を解決するための手段】
【００１０】
この課題を解決するための本発明は、シュレッダーの形態を人形や動物のぬいぐるみタイプにし、動物の特徴を活かし、動物の肛門部分から紙くずが排出され、角の部分を同時に押さないと電源が入らない安全機能も併せ持つ。また、鳴き声によるエラー音声や口元のライトアップ機能により暗い所でも使用可能で癒し系のシュレッダーであること。
【００１１】
動物の前足や脇にあたる部分の開脚角度を変化させる事により、多様な形状のゴミ箱等に据え付けて使用が可能な機能を備え、持ち運びが可能なシュレッダーを実現できる。
【発明の効果】
【００１２】
この発明によれば、まず一つにその外観や機能から癒しを得ることができる。また、シュレッダー不使用時でも同様の効果が得られるものである。
【００１３】
二つめに本体下部に任意の大きさのゴミ箱を据え付け可能とし、持ち運びが可能で設置場所の確保の必要がない利点も兼ね備える。
【００１４】
この発明の上述の目的、その他の目的、特徴及び利点は、図面を参照して以下に行う実施例の詳細な説明による。
【発明を実施するための最良の形態】
【００１５】
人形や動物の縫いぐるみタイプのシュレッダーを構成するという目的を実現した。
【実施例】
【００１６】
以下、本発明に係わるシュレッダーの実施例について図面を参照しながら説明する。
【００１７】
図１には、本発明に係わるシュレッダーの外観が示され、図２には、内部の構造が示され、図３には、回路が示されている。
【００１８】
本発明は、頭フレーム１７と足４と胴フレーム２４と腸フレーム１８からなり、全体は動物型のぬいぐるみ１で覆われている。
【００１９】
頭フレーム１７は、紙を挿入する口２と、シュレッダー１３の動作を開始するスイッチＡ ３ａ及びスイッチＢ ３ｂと、電源を供給するための充電ソケット１４が配置されている。
【００２０】
頭フレーム１７の内部には、外部から操作できる電源スイッチ１５と、シュレッダー１３と、制御装置１６と紙詰まりを検出するための発光素子１２及び受光素子１１と、照明となるライト１０と、電力を供給する２次電池２３が取り付けられる。
【００２１】
頭フレーム１７には、腸フレーム１８と、荷重ヒンジ２０により足４が取付けられる。
【００２２】
腸フレーム６には、廃棄物をまき散らすための尾５を連結したモーター１９が肛門６の近くに取り付けられる。
【００２３】
左右の足は、関節となる複数の荷重ヒンジ２０と、骨となる複数の足フレーム２１で左右対称に構成される。
【００２４】
電源を供給するための充電ソケット１４は、２次電池２３と制御装置１６に接続される。
【００２５】
制御装置１６には、シュレッダー１３の動作を開始するスイッチＡ  ３ａ  及びスイッチＢ  ３ｂ  と、紙詰まりを検出するために発光素子１２及び受光素子１１と、照明となるライト１０と、廃棄物をまき散らすための尾５を連結したモーター１９と、シュレッダー１３が接続される。
【００２６】
制御装置１６には、シュレッダー１３の電源オン音、紙くずが詰まった時のエラー音を発生させる為のスピーカー３０を配置する。
【図面の簡単な説明】
【００２７】
【図１】本実施例における外観図である。
【図２】本実施例における内部構造図である。
【図３】本実施例における回路図である。
【符号の説明】
【００２８】
１    ぬいぐるみ
２    口
３ａ  スイッチ１
３ｂ  スイッチ２
４    足
５    尾
６    肛門
１０  ライト
１１  受光素子
１２  発光素子
１３  シュレッダー
１４  充電ソケット
１５  電源スイッチ
１６  制御装置
１７  頭フレーム
１８  腸フレーム
１９  モーター
２０  荷重ヒンジ
２１  足フレーム
２２  ひずめ
２３  ２次電池
２４  胴フレーム
３０  スピーカー
【図１】
2008264666.tif 000003
【図２】
2008264666.tif 000004
【図３】
2008264666.tif 000005